(57)【要約】【課題】把持し易く、違和感なしにキャスティング操作やパーミング操作を行えるリール固定装置を提供する。【解決手段】魚釣用リールＲの釣竿取付脚Ｒ１を固定可能なリール固定装置１０である。リール固定装置１０は、リールシート本体１１と、リールシート本体１１の下部から下方へ向けて突出するトリガー２０と、を備えている。トリガー２０は、前面部２１と後面部２２とを備え、前面部２１は前方へ向けて断面凸状に形成され、後面部２２は少なくとも一部が前方へ向けて断面凹状に形成されている。前面部２１の左右両端部分と後面部２２の左右両端部分とが連続しており、その連続する部分に稜線部２５が形成されている構成とした。【選択図】図６
2018113932.tif 000002
【特許請求の範囲】
【請求項１】
魚釣用リールの釣竿取付脚を固定可能なリール固定装置であって、
リールシート本体と、前記リールシート本体の下部から下方へ向けて突出するトリガーと、を備え、
前記トリガーは、前方を向く前面部と、後方を向く後面部と、を備え、
前記前面部は前方へ向けて横断面凸状に形成され、前記後面部は少なくとも一部が前方へ向けて横断面凹状に形成されており、
前記前面部の左右両端部分と前記後面部の左右両端部分とが連続しており、その連続する部分には、稜線部が形成されていることを特徴とするリール固定装置。
【請求項２】
前記後面部は、前記横断面凹状に形成されることで構成される凹状部を備えており、
前記凹状部は、後面視で略逆三角形状を呈していることを特徴とする請求項１に記載のリール固定装置。
【請求項３】
前記後面部における前記凹状部の上方には、後方へ向けて横断面凸状とされた膨出部が形成されていることを特徴とする請求項２に記載のリール固定装置。
【発明の詳細な説明】
【技術分野】
【０００１】
本発明は、リール固定装置に関するものである。
【背景技術】
【０００２】
従来、魚釣用リールの釣竿取付脚を釣竿に固定するための装置として、リール固定装置が知られている。例えば、リール固定装置は、魚釣用リールの釣竿取付脚が載置される載置部を備えた略筒状のリールシート本体と、リールシート本体の下面から下方へ突出するトリガーと、を備えている。このリール固定装置では、トリガ−に例えば人差し指を掛けてキャスティングを行った後、改めてトリガ−を例えば中指と薬指で挟みつつ親指をリ−ル上面に圧接することによってパ−ミングを行うことが可能である。
【０００３】
また、トリガーの前面および後面に窪み状の指当て部を形成したリール固定装置も知られている（例えば、特許文献１参照）。
このリール固定装置では、指の腹部をトリガーの前面の指当て部に当ててキャスティング操作等を行うことができる。
【先行技術文献】
【特許文献】
【０００４】
【特許文献１】特開平５−３８２４４号公報
【発明の概要】
【発明が解決しようとする課題】
【０００５】
特許文献１のリール固定装置では、トリガーの前面および後面の中央部が指当て部により薄肉に形成される一方、トリガーの前面および後面の左右両端部が相対的に分厚く形成されていた。このため、トリガーを例えば中指と薬指で挟んだ際に、左右両端部の厚みによって挟んだ指同士が離間してしまい、保持性に難点があった。また、挟持する指の位置によっては、前面の指当て部から指の腹部がずれてしまい、指の収まりが悪くなってキャスティング操作やパーミング操作時に違和感が生じるという課題があった。
【０００６】
本発明は、前記課題を解決するためになされたものであり、把持し易く、違和感なしにキャスティング操作やパーミング操作を行えるリール固定装置を提供することを目的とする。
【課題を解決するための手段】
【０００７】
前記目的を達成するために本発明のリール固定装置は、魚釣用リールの釣竿取付脚を固定可能なリール固定装置である。リール固定装置は、リールシート本体と、前記リールシート本体の下部から下方へ向けて突出するトリガーと、を備えている。前記トリガーは、前方を向く前面部と、後方を向く後面部と、を備えている。前記前面部は前方へ向けて断面凸状に形成され、前記後面部は少なくとも一部が前方へ向けて断面凹状に形成されている。前記前面部の左右両端部分と前記後面部の左右両端部分とが連続しており、その連続する部分には、稜線部が形成されている。
【０００８】
このリール固定装置では、トリガーの左右両端部において前面部と後面部とが稜線部を介して鋭角に連続する。つまり、トリガーの左端部が左側方に向けて窄まる形状となり、トリガーの右端部が右側方に向けて窄まる形状となる。したがって、トリガーの中央部に比べてトリガーの左右両端部が薄肉に形成される。これにより、トリガーを例えば中指と薬指で挟んだ際に、前面部の凸形状と後面部の凹形状とに倣って挟んだ指同士が前後に密着し易くなる。したがって、トリガーの保持性、ひいてはリールシートの保持性に優れる。
また、トリガーに対して挟持する指の位置が左右方向に多少ずれたとしても、前面部の断面凸状に倣って例えば中指の関節部や腹部が前面部に密着する。また、後面部の断面凹状に倣って例えば薬指の関節部や腹部の側部が後面部に密着する。よって、トリガーの保持性（リールシートの保持性）が高くなり、各指の収まりがよくなって、キャスティング操作やパーミング操作時の操作感が向上する。
また、保持性が高くなり、各指の収まりがよくなるので、長時間の使用による指への負担も軽減される。
【０００９】
前記したリール固定装置において、前記後面部は、前記横断面凹状に形成されることで構成される凹状部を備えており、前記凹状部は、後面視で略逆三角形状を呈しているのがよい。このように構成することによって、凹状部に例えば薬指の関節部や腹部の側部等をより密着させることができる。よって、保持性が高くなり、各指の収まりがさらに向上して、キャスティング操作やパーミング操作時の操作感がより向上する。
【００１０】
前記したリール固定装置において、前記後面部における前記凹状部の上方には、後方へ向けて横断面凸状とされた膨出部が形成されているのがよい。このように構成することによって、凹状部から膨出部に亘るようにして例えば薬指の関節部や腹部の側部を沿わせることができ、把持した指の密着性がより向上する。よって、保持性がさらに高くなり、各指の収まりがさらに向上して、キャスティング操作やパーミング操作時の操作感がより一層向上する。
【発明の効果】
【００１１】
本発明によれば、把持し易く、違和感なしにキャスティング操作やパーミング操作を行えるリール固定装置が得られる。
【図面の簡単な説明】
【００１２】
【図１】本発明の一実施形態に係るリール固定装置および釣竿の一部を示す側面図である。
【図２】（ａ）はリール固定装置および釣竿の一部を示す底面図、（ｂ）はリール固定装置を握った手の指の位置の概略を示す底面図である。
【図３】リール固定装置のトリガーを示す拡大側面図である。
【図４】トリガーの拡大縦断面図である。
【図５】図３の白抜き矢印方向から見たトリガーの拡大後面図である。
【図６】トリガーの横断面図であり、（ａ）は図３のＡ−Ａ線に沿う拡大横断面図、（ｂ）は図３のＢ−Ｂ線に沿う拡大横断面図、（ｃ）は図３のＣ−Ｃ線に沿う拡大横断面図である。
【図７】本発明の変形例に係るリール固定装置に適用されるトリガーを示した横断面図であり、（ａ）は図３のＢ−Ｂ線に相当する拡大横断面図、（ｂ）は図３のＣ−Ｃ線に相当する拡大横断面図である。
【図８】一実施形態に係るリール固定装置のトリガーの実施例における厚みと比較例のトリガーにおける厚みとの関係を示した表である。
【発明を実施するための形態】
【００１３】
以下、本発明の実施形態のリール固定装置のフードについて、図面を参照して説明する。以下の説明において、「前」側は、釣竿の竿先側を言い、「後」側は、釣竿のグリップ側を言う。「上下」の方向は図１に記載した方向を基準とし、「左右」の方向は図２、図５に記載した方向を基準とする。
【００１４】
［リール固定装置の概要］
図１に示すように、リール固定装置１０は、魚釣用リールＲを固定するためのものである。
リール固定装置１０は、釣竿を構成する竿杆１の後側であってグリップ２の前側となるように竿杆１に固定される。よって、リール固定装置１０に固定される魚釣用リールＲは、グリップ２の前方に配置された状態で釣竿に固定される。
なお、竿杆１は、例えば、炭素繊維やガラス繊維等を含む強化繊維に、エポキシ樹脂等の合成樹脂を含浸した繊維強化樹脂材で構成されており、管状体あるいは中実体として構成されている。竿杆１は、１本で構成されていてもよいし、複数の竿杆を継合する構成であってもよい。
【００１５】
リール固定装置１０は、竿杆１に外嵌される筒状のリールシート本体（以下、本体と称する）１１と、本体１１の前部に取り付けられる移動フード１２と、を備えている。本体１１の後部には固定フード１３が一体に形成され、本体１１の下部には、トリガー２０が一体に形成されている。
【００１６】
［本体］
本体１１（固定フード１３およびトリガー２０）は、例えば、ＡＢＳ樹脂、ナイロン、ポリカーボネート等の合成樹脂によって形成されている。
本体１１は、竿杆１に対して接着剤等で固定される。本体１１の外周側の上面には、魚釣用リールＲの釣竿取付脚Ｒ１が載置される載置面１１ａが形成されている。載置面１１ａは、平坦状であり、本体１１の軸方向に延在している。
【００１７】
固定フード１３は、前方に向って開口する挿入穴１３ａを備えている。挿入穴１３ａには、魚釣用リールＲの釣竿取付脚Ｒ１の後部が挿入される。
【００１８】
本体１１の下部には、移動フード１２とトリガー２０との間に、前後二つの切込部１７ａ，１７ｂが設けられている（図２（ａ）参照）。例えば、前側の切込部１７ａには、図１、図２（ｂ）に示すように、トリガー２０を中指Ｆ３と薬指Ｆ４とで前後方向から挟持した場合に、人差し指Ｆ２の一部を掛けることができる。また、同様に、後側の切込部１７ａには、トリガー２０を挟持した中指の一部を掛けることができる。切込部１７ａ，１７ｂは、キャスティング操作等の正確な指の配置を可能にする。
【００１９】
［移動フード］
移動フード１２は、挿入部１２ａと、挿入部１２ａに取り付けられる操作つまみ部１２ｂと、を備えている。挿入部１２ａは、本体１１の前部に外嵌され、本体１１の外周面に形成された図示しない雄ねじに螺合して軸方向遊動可能に装着されている。挿入部１２ａは、後方に向かって開口する挿入穴１２ｃを上部に備えている。挿入穴１２ｃには、魚釣用リールＲの釣竿取付脚Ｒ１の前部が挿入される。
【００２０】
このような本体１１と移動フード１２とを備えたリール固定装置１０は、魚釣用リールＲの釣竿取付脚Ｒ１の後部を固定フード１３に差し込んだ状態で、移動フード１２を本体１１の軸方向に移動させることによって魚釣用リールＲを着脱する構成となっている。
なお、本発明のリール固定装置１０は、本体１１の前部に固定フード１３が設けられ、本体１１の後部に移動フード１２が取り付けられる構成であってもよい。
【００２１】
［トリガー］
トリガー２０は、図１〜図５の各図に示すように、舌片状を呈している。トリガー２０は、本体１１の後部の外周面において、固定フード１３の径方向反対側となる下面に配置され、本体１１の下部から前方斜め下方へ向けて突出している。トリガー２０には、本体１１を把持する手の指を引っ掛けたり、前後から指で保持したりすることが可能である。
【００２２】
トリガー２０は、図６各図に示すように、前方を向く前面部２１と、後方を向く後面部２２と、を備えている。前面部２１の左右両端部分と後面部２２との左右両端部分とは連続しており、その連続する部分が前後方向に薄肉状となって、稜線部２５が形成されている。稜線部２５は、後記するように上下方向に延びている（図３参照）。
【００２３】
前面部２１は、図６各図に示すように、前方へ向けて横断面凸状（横断面山形状）に形成されている。すなわち、前面部２１は、左端部分２１ａ、右端部分２１ｂから中央部分２１ｃに向けて前方へ湾曲状に膨出している。前面部２１には、図１，図２（ｂ）に示すように、例えば中指Ｆ３の腹部や関節部の側部を当てるようにして配置することができる。
【００２４】
前面部２１は、図３に示すように、本体１１の側部の下部に形成された傾斜状の湾曲凹部１５に連続して形成されている。つまり、トリガー２０の前面部２１に当てて配置した、例えば中指Ｆ３の指先部分を、前面部２１から湾曲凹部１５（本体１１の側面部）に亘って添えることができるようになっている（図１参照）。これにより、トリガー２０の前面部２１に添えた中指Ｆ３で本体１１を違和感なく保持することができる。また、図４に示すように、前面部２１の上端部は断面アール状の隅部２６を介して本体１１の下部に連続している。これにより、例えば中指Ｆ３の腹部や関節部を隅部２６周りに安定して添えることができ、前面部２１の形状と相俟って、本体１１の保持性が向上する。
【００２５】
後面部２２は、図６（ａ）に示すように、後方へ向けて横断面凸状とされた膨出部２３と、図６（ｂ）（ｃ）に示すように、前方へ向けて横断面凹状とされた凹状部２４と、を備えている。膨出部２３は、後面部２２の上部（トリガー２０の根元部分となる本体１１の近傍部）に形成されている。膨出部２３は、左端部分２３ａ、右端部分２３ｂから中央部分２３ｃに向けて後方へ湾曲状に膨出している。
【００２６】
膨出部２３は、図３に示すように、本体１１の側部の下部に形成された後部側湾曲凹部１６に連続して形成されている。つまり、トリガー２０の膨出部２３に添えた、例えば薬指Ｆ４の指先部分を膨出部２３（後面部２２）から後部側湾曲凹部１６（本体１１の側面部）に亘って添えることができるようになっている。これにより、トリガー２０の膨出部２３（後面部２２）に添えた薬指Ｆ４で本体１１を違和感なく保持することができる（図１参照）。また、図４に示すように、膨出部２３（後面部２２）の上端部は断面アール状の隅部２７を介して本体１１の下部に連続している。これにより、例えば薬指Ｆ４の腹部や関節部を隅部２７周りに安定して添えることができ、膨出部２３（後面部２２）の形状と相俟って、本体１１の保持性が向上する。
【００２７】
そして、図１に示すように、トリガー２０を前後方向から、例えば中指と薬指とで挟むように包み、中指の指先部分と薬指の指先部分とを本体１１の側面で前後方向に密着させることができる。つまり、トリガー２０を保持した前後の指同士を当接させる状態にした保持が可能となる。したがって、これらの指同士が離間する状態に保持する場合に比べて保持力が向上する。これにより、キャスティング操作やパーミング操作が安定する。
【００２８】
凹状部２４は、膨出部２３の下方に連続して形成されている。凹状部２４は、図５に示すように、後面視で略逆三角形状を呈している。凹状部２４の周りには、後面視でＶ字形の周縁部（左縁部、右縁部、下縁部）２２ｅが形成されている。凹状部２４は、図６（ｂ）（ｃ）に示すように、周縁部２２ｅの内側から中央部に向けて前方へ湾曲状に凹んでいる（図４参照）。凹状部２４（後面部２２）には、図１，図２（ｂ）に示すように、薬指Ｆ４の腹部の側部や関節部の側部を当てるようにして配置することができる。凹状部２４の存在により、トリガー２０の後面部２２に対して薬指Ｆ４を当て付け易くなっている。
【００２９】
また、後面部２２において、図４に示すように、膨出部２３と凹状部２４との間には緩やかな段差部２８が形成される。これにより、凹状部２４に当て付けた指（例えば薬指）の腹部の側部や関節部の側部の収まり（引っ掛かり）がよくなり、保持性が向上する。
【００３０】
このような前面部２１および後面部２２を備えることにより、図６各図に示すように、トリガー２０の左端部２０ａは、左側方へ向けて窄まる形状とされ、また、右端部２０ｂは、右側方へ向けて窄まる形状とされる。これにより、トリガー２０の左右両端部２０ａ，２０ｂには、稜線部２５が形成される。トリガー２０の左右両端部２０ａ，２０ｂは、トリガー２０の中央部２０ｃに比べて前後方向に薄肉に形成されている。稜線部２５の上部２５ａは、図３に示すように、本体１１の側部に延在している。上部２５ａは、湾曲凹部１５と後部側湾曲凹部１６との境界部分として機能し、保持性や握持性を高める作用をなす。なお、左右両端部２０ａ，２０ｂは、側方に向けてテーパ状にそれぞれ窄まる形状としてもよいし、前面部２１および後面部２２が相互に異なる曲率で稜線部２５で交わるように形成して窄まるように構成してもよい。なお、稜線部２５は、アール状に形状（図６（ａ）参照）されていてもよい。
【００３１】
ここで、トリガー２０の前後方向の肉厚は、図５に示すように、凹状部２４の上部の幅広部分に沿って延在する基準線Ｋ上の三点（イ）−（ロ）において、次のように設定されることが好ましい。点（イ）は、基準線Ｋ上においてトリガー２０の左縁から１ｍｍ内側となる部分である。また、点（ロ）は、基準線Ｋ上においてトリガー２０の左右の中央部分である。さらに、点（ハ）は、基準線Ｋ上においてトリガー２０の右縁から１ｍｍ内側となる部分である。点（イ）および点（ハ）では、肉厚が２．８−３．４ｍｍの範囲に設定されることが好ましく、点（ロ）では、肉厚が３．３−３．７ｍｍの範囲に設定されることが好ましい。より好ましくは、点（イ）および点（ハ）では、肉厚が３．１ｍｍであることがよく、点（ロ）では、肉厚が３．５ｍｍであることがよい。
【００３２】
点（イ）および点（ハ）において、肉厚が２．８ｍｍ未満である場合には、保持性が低減するおそれがある。また、肉厚が３．４ｍｍを超える場合には、トリガー２０を挟持する指同士（例えば中指と薬指の指先同士）が離間するおそれがあり、リール固定装置１０を保持するための保持力が低下するおそれがある。
また、点（ロ）において、肉厚が３．３ｍｍ未満である場合には、トリガー２０の横断面形状が左右方向に扁平な形状に近づくため、保持性が低減するおそれがある。また、肉厚が３．７ｍｍを超える場合には、左右両端部と中央部とのバランスが崩れて、保持性が低減するおそれがある。保持性が低減することで、キャスティング操作やパーミング操作時に違和感が生じるおそれがある。
【００３３】
以上説明した本実施形態によれば、トリガー２０の左右両端部２０ａ，２０ｂにおいて前面部２１と後面部２２とが稜線部２５を介して鋭角に連続する。つまり、トリガー２０の左端部２０ａが左側方に向けて窄まる形状となり、トリガー２０の右端部２０ｂが右側方に向けて窄まる形状となる。したがって、トリガー２０の中央部２０ｃに比べて左右両端部２０ａ，２０ｂが薄肉に形成される。これにより、トリガー２０を例えば中指と薬指で挟んだ際に、前面部２１の凸形状と後面部２２の凹形状とに倣って挟んだ指同士が前後に密着し易くなる。したがって、トリガー２０の保持性、ひいては本体１１の保持性に優れる。
【００３４】
また、トリガー２０に対して挟持する指の位置が左右方向に多少ずれたとしても、前面部２１の断面凸状に倣って例えば中指の関節部や腹部が前面部２１に密着する。また、後面部２２の断面凹状に倣って例えば薬指の関節部や腹部の側部が後面部２２に密着する。よって、トリガー２０の保持性（本体１１の保持性）が高くなり、各指の収まりがよくなって、キャスティング操作やパーミング操作時の操作感が向上する。
また、保持性が高くなり、各指の収まりがよくなるので、長時間の使用による指への負担も軽減される。
【００３５】
また、凹状部２４が、後面視で略逆三角形状を呈しているので、凹状部２４に例えば薬指の関節部や腹部の側部等をより密着させることができる。よって、保持性が高くなり、各指の収まりがさらに向上して、キャスティング操作やパーミング操作時の操作感がより向上する。
【００３６】
また、凹状部２４の上方には、膨出部２３が形成されているので、凹状部２４から膨出部２３に亘るようにして例えば薬指の関節部や腹部の側部を沿わせることができ、把持した指の密着性がより向上する。よって、保持性がさらに高くなり、各指の収まりがさらに向上して、キャスティング操作やパーミング操作時の操作感がより一層向上する。
【００３７】
以上、本発明の実施形態について説明したが、本発明は前記実施形態で説明した例に限定されない。
例えば、図７（ａ）（ｂ）に示すように、トリガー２０の前面部２１の左端部分２１ａ近傍の曲率、および右端部分２１ｂ近傍の曲率を小さく設定して、トリガー２０の左右両端部２０ａ，２０ｂが扁平となるように形成してもよい。
【００３８】
また、トリガー２０は、金属部材がインサート成形されるものであってもよい。また、トリガー２０は、本体１１と別部材で構成してもよい。この場合、トリガー２０を金属部材で構成してもよい。
【００３９】
また、凹状部２４は、トリガー２０の後面部２２に複数設けてもよい。
また、凹状部２４に弾性部材を配置してもよい。
また、凹状部２４は、後面視で円形状、楕円形状、四角形状、多角形状等、種々の形状のものを採用することができる。
また、凹状部２４は、後面部２２の略全体に形成してもよい。
【００４０】
［実施例］
図８は一実施形態に係るリール固定装置のトリガーの実施例における肉厚と比較例のトリガーにおける肉厚との関係を示した表である。
一実施形態に係るリール固定装置１０のトリガー２０として、前後方向に肉厚の異なる実施例１−３の三つのトリガー２０を作成した。
【００４１】
一方、一般に販売されているリール固定装置のトリガーとして、比較例１−７の七つのトリガーを用意し、各トリガーにおいて、前記した点（イ）−（ハ）の三箇所に対応する部分について前後方向の肉厚をノギスで計測した。なお、比較例１−７のトリガーは、前面部が前方へ湾曲凸状に形成され、後面部が平ら、あるいは後方へ湾曲凸状に形成されたものである。
【００４２】
実施例１では、点（イ）および点（ハ）にける肉厚を２．８ｍｍに形成し、点（ロ）における肉厚を３．３ｍｍに形成した。実施例１では、トリガー２０の左右両端部２０ａ，２０ｂの肉厚が中央部２０ｃに比べて薄くなり、前後方向に例えば中指と薬指とで挟持した場合に、違和感なくキャスティング操作およびパーミング操作を行うことができた。
【００４３】
実施例２では、点（イ）および点（ハ）における肉厚を３．１ｍｍに形成し、点（ロ）における肉厚を３．５ｍｍに形成した。実施例２では、実施例１と同様に、トリガー２０の左右両端部２０ａ，２０ｂの肉厚が中央部２０ｃに比べて薄くなり、前後方向に例えば中指と薬指とで挟持した場合に、違和感なくキャスティング操作およびパーミング操作を行うことができた。なお、実施例２は実施例１に比べて肉厚がそれぞれの位置で厚く形成されているので、操作性を確保しつつ、強度を高めることができた。
【００４４】
実施例３では、点（イ）および点（ハ）における肉厚を３．４ｍｍに形成し、点（ロ）における肉厚を３．７ｍｍに形成した。実施例３では、実施例１，２と同様に、トリガー２０の左右両端部２０ａ，２０ｂの肉厚が中央部２０ｃに比べて薄くなり、前後方向に例えば中指と薬指とで挟持した場合に、違和感なくキャスティング操作およびパーミング操作を行うことができた。なお、実施例３では、実施例１，２に比べて肉厚がそれぞれの位置でさらに厚く形成されているので、操作性を確保しつつ、強度を高めることができた。また、肉厚がわずかに増したことで、挟持した際の安定感が向上した。
【００４５】
比較例１−７のトリガーは、前面部が前方へ湾曲凸状に形成され、点（イ）および点（ハ）における肉厚が前記実施例１−３よりも大きく、また、実施例１−３のような後面部の凹状部を持たない構成である。このため、比較例１−７では、トリガーを挟持する指同士（例えば中指と薬指の指先同士）が離間し易くなり、リール固定装置を保持するための保持力が低下し易かった。したがって、キャスティング操作やパーミング操作時に違和感が生じた。
【符号の説明】
【００４６】
１      竿杆
１０    リール固定装置
１１    本体（リールシート本体）
２０    トリガー
２１    前面部
２２    後面部
２３    膨出部
２４    凹状部
２５    稜線部
Ｒ      魚釣用リール
Ｒ１    釣竿取付脚
【図１】
2018113932.tif 000003
【図２】
2018113932.tif 000004
【図３】
2018113932.tif 000005
【図４】
2018113932.tif 000006
【図５】
2018113932.tif 000007
【図６】
2018113932.tif 000008
【図７】
2018113932.tif 000009
【図８】
2018113932.tif 000010